(57)【要約】【課題】モバイル端末との接続が可能なＩＰ電話端末において、モバイル端末のスケジュールデータをＩＰ電話端末に転送可能とし、ＩＰ電話端末の発呼機能を使用してスケジュール開始時刻の到達を告知する。【解決手段】ＩＰ電話端末（１０）は、携帯端末とのデータ通信の為のコネクタおよび携帯端末の電池パックへの充電および給電するクレードル部（４０）を保持し、ＰＤＡ（２０）がクレードル部（４０）に収容されると、ＰＤＡ（２０）およびＩＰ電話端末（１０）は、双方の接続信号を検出してデータ通信を開始し、ＰＤＡ（２０）はＰＤＡフラッシュメモリ（２９）に記憶されたスケジュール情報（６０）から有効フラグ（６２）を参照して有効なスケジュールデータをＩＰ電話端末（１０）に送信し、ＩＰ電話端末（１０）は、受信したスケジュールデータの開始予定時刻（６４）に到達するとスケジュールデータの連絡先（６３）に登録された電話番号に発信する。【選択図】  図１
2004336142.tif 000002
【特許請求の範囲】
【請求項１】
音声をデジタル信号に変換し、ＴＣＰ／ＩＰプロトコルによるパケット伝送にて通信を行うＩＰ電話端末におけるスケジュール告知方法において、
スケジュール管理機能を有する携帯端末を前記ＩＰ電話端末に着脱可能に接続し、
前記携帯端末を前記ＩＰ電話端末に接続した状態において、該携帯端末は該ＩＰ電話端末と通信を行うことにより該携帯端末の有する前記スケジュール管理機能により管理されているスケジュールデータを該ＩＰ電話端末に送信し、
前記ＩＰ電話端末は前記携帯端末から送信されたスケジュールデータを受信して記憶手段に記憶し、
該記憶手段に記憶されたスケジュールデータに基づき該ＩＰ電話端末から所望の告知動作を行なう
ことを特徴とするスケジュール告知方法。
【請求項２】
前記ＩＰ電話端末は、時計機能を有する装置との通信によって取得した時刻情報によって実現される時計機能を有し、
該時計機能および前記記憶手段に記憶されたスケジュールデータに基づき該ＩＰ電話端末から所望の告知動作を行なう
ことを特徴とする請求項１記載のスケジュール告知方法。
【請求項３】
前記時計機能を有する装置は、ネットワークを介して前記ＩＰ電話端末と接続されるタイムサーバである
ことを特徴とする請求項２記載のスケジュール告知方法。
【請求項４】
前記時計機能を有する装置は、ネットワークを介して前記ＩＰ電話端末を制御するＩＰ電話交換機である
ことを特徴とする請求項２記載のスケジュール告知方法。
【請求項５】
前記ＩＰ電話端末は、内部時計機能を有し、
該内部時計機能および前記記憶手段に記憶されたスケジュールデータに基づき該ＩＰ電話端末から所望の告知動作を行なう
ことを特徴とする請求項１記載のスケジュール告知方法。
【請求項６】
前記ＩＰ電話端末は、前記所望の告知動作の告知先情報を記憶し、
該記憶した告知先情報に基づき所望の告知先に対して自動発呼して前記所望の告知動作を行なう
ことを特徴とする請求項１記載のスケジュール告知方法。
【請求項７】
前記告知先情報は、前記スケジュールデータに含まれる
ことを特徴とする請求項６記載のスケジュール告知方法。
【請求項８】
前記携帯端末は、充電可能な電池を電源として動作するものであり、
該携帯端末を前記ＩＰ電話端末に接続した状態において、該ＩＰ電話端末からの電源供給により該携帯端末の電池を充電する充電動作を行なう
ことを特徴とする請求項１記載のスケジュール告知方法。
【請求項９】
前記携帯端末は、前記ＩＰ電話端末に接続した状態において、該ＩＰ電話端末と通信を行うことにより該ＩＰ電話端末の固体識別を行い、
該固体識別により該ＩＰ電話端末があらかじめ許可されたＩＰ電話端末に該当する場合に前記スケジュールデータを該ＩＰ電話端末に送信する
ことを特徴とする請求項１記載のスケジュール告知方法。
【請求項１０】
前記ＩＰ電話端末は、前記携帯端末が接続された状態において、該携帯端末と通信を行うことにより該携帯端末に記録された個人情報を取得し、
該取得した個人情報に基づき該ＩＰ電話端末の使用者認証を行う
ことを特徴とする請求項１記載のスケジュール告知方法。
【請求項１１】
音声をデジタル信号に変換し、ＴＣＰ／ＩＰプロトコルによるパケット伝送にて通信を行うＩＰ電話端末において、
スケジュール管理機能を有する携帯端末を接続可能に接続する接続手段と、
前記携帯端末を接続した状態において、該携帯端末と通信を行う通信手段と、
前記通信手段による通信により前記携帯端末から送信された該携帯端末の有する前記スケジュール管理機能により管理されているスケジュールデータを受信するスケジュールデータ受信手段と、
前記スケジュールデータ受信手段で受信したスケジュールデータに基づき所望の告知動作を行なう告知制御手段と
を具備することを特徴とするＩＰ電話端末。
【請求項１２】
前記接続手段は、
前記携帯端末を収容固定可能に構成されたクレードル構造と、
該クレードル構造内に該クレードル構造と一体して設けられ前記携帯端末と通信可能に接続するコネクタと
を具備することを特徴とする請求項１１記載のＩＰ電話端末。
【請求項１３】
時計機能を有する装置との通信によって取得した時刻情報によって時計機能を実現する時計機能手段
を更に具備し、
前記告知制御手段は、
前記時計機能手段により実現される時計機能および前記記憶手段に記憶されたスケジュールデータに基づき前記所望の告知動作を行なう
ことを特徴とする請求項１１記載のＩＰ電話端末。
【請求項１４】
前記時計機能を有する装置は、ネットワークを介して前記ＩＰ電話端末に接続されるタイムサーバである
ことを特徴とする請求項１３記載のＩＰ電話端末。
【請求項１５】
前記時計機能を有する装置は、ネットワークを介して前記ＩＰ電話端末を制御するＩＰ電話交換機である
ことを特徴とする請求項１３記載のＩＰ電話端末。
【請求項１６】
内部時計機能手段
を更に具備し、
前記告知制御手段は、
該内部時計機能手段により実現される時計機能および前記記憶手段に記憶されたスケジュールデータに基づき前記所望の告知動作を行なう
ことを特徴とする請求項１１記載のＩＰ電話端末。
【請求項１７】
前記所望の告知動作の告知先情報を記憶する告知先情報記憶手段
を更に具備し、
前記告知制御手段は、
前記告知先情報記憶手段に記憶した告知先情報に基づき所望の告知先に対して自動発呼して前記所望の告知動作を行なう
ことを特徴とする請求項１１記載のＩＰ電話端末。
【請求項１８】
前記告知先情報は、前記スケジュールデータに含まれる
ことを特徴とする請求項１７記載のＩＰ電話端末。
【請求項１９】
前記携帯端末を前記接続手段により接続した状態において、前記携帯端末への給電により該携帯端末の電池を充電する充電制御手段
を更に具備することを特徴とする請求項１１記載のＩＰ電話端末。
【請求項２０】
前記通信手段による通信により前記接続手段により接続された携帯端末に記録された個人情報を取得し、該取得した個人情報に基づき該ＩＰ電話端末の使用者認証を行う使用者認証手段
を更に具備することを特徴とする請求項１１記載のＩＰ電話端末。
【発明の詳細な説明】
【０００１】
【発明の属する技術分野】
この発明は、インターネットもしくはイントラネットを使用して音声をパケット通信にて伝送するＩＰ電話端末に関し、特に、ＩＰ電話端末に接続接続可能な携帯端末のスケジュールデータにもとづいてＩＰ電話端末が自動発呼を行うスケジュール告知方法およびスケジュール告知を行うＩＰ電話端末に関する。
【０００２】
【従来の技術】
近年音声をデジタル信号に変換し、ＴＣＰ／ＩＰプロトコルによるパケット伝送にて通信を行うＩＰ電話端末がオフィス環境へ急速に普及している。
【０００３】
ＩＰ電話端末は、ＴＣＰ／ＩＰプロトコルを使用するという技術特性から、高性能のＣＰＵと大容量のメモリが搭載され、ＩＰ電話端末のソフトウェアは、オペレーティングシステムに基づくプロトコルスタック処理が要求されるため、ＰＣや携帯情報機器と類似の構成により、ネットワーク接続された他の端末とも高い親和性をもつことが可能である。
【０００４】
一方、ビジネスにおけるスケジュール管理は、モバイル環境では携帯情報機器または携帯電話のスケジュール管理アプリケーションを使用し、オフィス環境においてはＰＣのスケジュール管理アプリケーションを使い分けて行われている。
その為、モバイル環境とオフィス環境との間で二元化されたスケジュールデータは、相互補完が必要となる問題が生じる。
【０００５】
このような問題を解決する技術として、特許文献１記載の「外部情報端末連携型電話番号情報管理システム」がある。
【０００６】
この特許文献１の発明は、オフイス用電話交換機のメモリ、ＰＤＡのメモリなどに分散されて記憶、管理されている個人データを相互に補完することを目的とし、ＰＤＡと電話機との間を着脱容易な構造にし、ＰＤＡが内線電話機に接続されたことを、その内線電話機を介して検知したオフィス用電話交換機のＣＰＵは、メモリ内容の相互補完を制御するプログラムを起動し、ＰＤＡ内のメモリと電話交換機内のメモリとの相互補完を自動的に実行するものである。
【０００７】
【特許文献１】
特開２００１−９４６６７号公報。
【０００８】
【発明が解決しようとする課題】
ところで、特許文献１の発明のように、オフィス環境で固定で使用するＰＣのスケジュールデータと、モバイル機器のスケジュールデータを相互に補完することにより、オフィス外のモバイル環境においても、携帯情報機器、携帯電話のスケジュール管理機能を使用してスケジュールの実行管理が可能となる。
【０００９】
しかし、携帯情報機器、携帯電話は、２４時間身につけているわけではなく、オフィス等への置き忘れ、紛失、電源ＯＦＦ、電池切れ、鞄の中に入れた状態等、スケジュール告知の機会を逸失する状態に陥りやすいといった問題を抱えている。
【００１０】
そこで、この発明は、モバイル端末との接続が可能なＩＰ電話端末において、モバイル端末のスケジュールデータをＩＰ電話端末に転送可能とし、ＩＰ電話端末の発呼機能によってスケジュール開始時刻の到達を告知することが可能なスケジュール告知方法およびＩＰ電話端末を提供することを目的とする。
【００１１】
【課題を解決するための手段】
上記問題を解決するために、請求項１の発明は、音声をデジタル信号に変換し、ＴＣＰ／ＩＰプロトコルによるパケット伝送にて通信を行うＩＰ電話端末におけるスケジュール告知方法において、スケジュール管理機能を有する携帯端末をＩＰ電話端末に着脱可能に接続し、携帯端末をＩＰ電話端末に接続した状態において、携帯端末はＩＰ電話端末と通信を行うことにより携帯端末の有するスケジュール管理機能により管理されているスケジュールデータをＩＰ電話端末に送信し、ＩＰ電話端末は携帯端末から送信されたスケジュールデータを受信して記憶手段に記憶し、記憶手段に記憶されたスケジュールデータに基づきＩＰ電話端末から所望の告知動作を行なうことを特徴とする。
【００１２】
また、請求項２の発明は、請求項１の発明において、ＩＰ電話端末は、時計機能を有する装置との通信によって取得した時刻情報によって実現される時計機能を有し、時計機能および記憶手段に記憶されたスケジュールデータに基づきＩＰ電話端末から所望の告知動作を行なうことを特徴とする。
【００１３】
また、請求項３の発明は、請求項２の発明において、時計機能を有する装置は、ネットワークを介してＩＰ電話端末と接続されるタイムサーバであることを特徴とする。
【００１４】
また、請求項４の発明は、請求項２の発明において、時計機能を有する装置は、ネットワークを介してＩＰ電話端末を制御するＩＰ電話交換機であることを特徴とする。
【００１５】
また、請求項５の発明は、請求項１の発明において、ＩＰ電話端末は、内部時計機能を有し、内部時計機能および記憶手段に記憶されたスケジュールデータに基づきＩＰ電話端末から所望の告知動作を行なうことを特徴とする。
【００１６】
また、請求項６の発明は、請求項１の発明において、ＩＰ電話端末は、所望の告知動作の告知先情報を記憶し、記憶した告知先情報に基づき所望の告知先に対して自動発呼して所望の告知動作を行なうことを特徴とする。
【００１７】
また、請求項７の発明は、請求項６の発明において、告知先情報は、スケジュールデータに含まれることを特徴とする。
【００１８】
また、請求項８の発明は、請求項１の発明において、携帯端末は、充電可能な電池を電源として動作するものであり、携帯端末をＩＰ電話端末に接続した状態において、ＩＰ電話端末からの電源供給により携帯端末の電池を充電する充電動作を行なうことを特徴とする。
【００１９】
また、請求項９の発明は、請求項１の発明において、携帯端末は、ＩＰ電話端末に接続した状態において、ＩＰ電話端末と通信を行うことによりＩＰ電話端末の固体識別を行い、固体識別によりＩＰ電話端末があらかじめ許可されたＩＰ電話端末に当する場合にスケジュールデータをＩＰ電話端末に送信することを特徴とする。
【００２０】
また、請求項１０の発明は、請求項１の発明において、ＩＰ電話端末は、携帯端末が接続された状態において、携帯端末と通信を行うことにより携帯端末に記録された個人情報を取得し、取得した個人情報に基づきＩＰ電話端末の使用者認証を行うことを特徴とする。
【００２１】
また、請求項１１の発明は、音声をデジタル信号に変換し、ＴＣＰ／ＩＰプロトコルによるパケット伝送にて通信を行うＩＰ電話端末において、スケジュール管理機能を有する携帯端末を接続可能に接続する接続手段と、携帯端末を接続した状態において、携帯端末と通信を行う通信手段と、通信手段による通信により携帯端末から送信された携帯端末の有するスケジュール管理機能により管理されているスケジュールデータを受信するスケジュールデータ受信手段と、スケジュールデータ受信手段で受信したスケジュールデータに基づき所望の告知動作を行なう告知制御手段とを具備することを特徴とする。
【００２２】
また、請求項１２の発明は、請求項１１の発明において、接続手段は、携帯端末を収容固定可能に構成されたクレードル構造と、クレードル構造内にクレードル構造と一体して設けられ携帯端末と通信可能に接続するコネクタとを具備することを特徴とする。
【００２３】
また、請求項１３の発明は、請求項１１の発明において、時計機能を有する装置との通信によって取得した時刻情報によって時計機能を実現する時計機能手段を更に具備し、告知制御手段は、時計機能手段により実現される時計機能および記憶手段に記憶されたスケジュールデータに基づき所望の告知動作を行なうことを特徴とする。
【００２４】
また、請求項１４の発明は、請求項１３の発明において、時計機能を有する装置は、ネットワークを介してＩＰ電話端末に接続されるタイムサーバであることを特徴とする。
【００２５】
また、請求項１５の発明は、請求項１３の発明において、時計機能を有する装置は、ネットワークを介してＩＰ電話端末を制御するＩＰ電話交換機であることを特徴とする。
【００２６】
また、請求項１６の発明は、請求項１１の発明において、内部時計機能手段を更に具備し、告知制御手段は、内部時計機能手段により実現される時計機能および記憶手段に記憶されたスケジュールデータに基づき所望の告知動作を行なうことを特徴とする。
【００２７】
また、請求項１７の発明は、請求項１１の発明において、所望の告知動作の告知先情報を記憶する告知先情報記憶手段を更に具備し、告知制御手段は、告知先情報記憶手段に記憶した告知先情報に基づき所望の告知先に対して自動発呼して所望の告知動作を行なうことを特徴とする。
【００２８】
また、請求項１８の発明は、請求項１７の発明において、告知先情報は、スケジュールデータに含まれることを特徴とする。
【００２９】
また、請求項１９の発明は、請求項１１の発明において、携帯端末を接続手段により接続した状態において、携帯端末への給電により携帯端末の電池を充電する充電制御手段を更に具備することを特徴とする。
【００３０】
また、請求項２０の発明は、請求項１１の発明において、通信手段による通信により接続手段により接続された携帯端末に記録された個人情報を取得し、取得した個人情報に基づきＩＰ電話端末の使用者認証を行う使用者認証手段を更に具備することを特徴とする。
【００３１】
【発明の実施の形態】
以下、この発明に係わるＩＰ電話端末における表示方法およびＩＰ電話端末の実施の形態を添付図面を参照して詳細に説明する。
【００３２】
図１は、この発明に係わるＩＰ電話端末１０とＩＰ電話端末１０のクレードル部４０に収容されたＰＤＡ２０の外観図である。
【００３３】
図１において、ＩＰ電話端末１０は、ＬＣＤ表示部３７、受話器３５、キー／キーパッド３６、マイク３４、スピーカ３３、クレードル部４０を具備して構成される。
【００３４】
ＬＣＤ表示部３７は、発信時、着信時の電話番号を始め、ＩＰ電話端末１０のフラッシュメモリ１２に登録されているアドレス帳、現在時刻等、ＩＰ電話端末１０の諸機能に対応したモノクロでの文字表示を行う。
【００３５】
受話器３５は、通話時における送話音声のＩＰ電話端末１０への入力、受話音声のオペレータへの出力を行う。
【００３６】
キー／キーパッド３６は、オペレータが、通話時の電話番号の入力を始め、ＩＰ電話端末１０に対してデータ入力を行うための入力装置である。
【００３７】
マイク３４は、ＩＰ電話端末１０のオペレータがハンズフリー通話、音声認識処理でのＩＰ電話端末１０の操作を行うため音声入力装置である。
【００３８】
クレードル部４０は、携帯電話機、ＰＤＡ等の携帯端末をＩＰ電話端末１０に収容して接続するためのクレードル構造をもち、収容された機器とのデータ通信、収容された機器に対して給電および充電を行う。
【００３９】
次に、ＩＰ電話端末１０のクレードル部４０についてさらに説明する。
【００４０】
図２は、この発明に係わるＩＰ電話端末１０のクレードル部４０の構造を一部透過的に示した斜視図である。
【００４１】
図２において、クレードル部４０は、ＰＤＡ、携帯電話機等をＩＰ電話端末１０のオペレータに対して、所定の傾斜角４２を持たせて収容するためのクレードル構造を有している。
【００４２】
また、クレードル部４０の底には、ＰＤＡ２０とＩＰ電話端末１０を接続するためのコネクタ部５００が配設されている。
【００４３】
さらに、クレードル部４０の各側面には、ＰＤＡ２０の挿入動作において、ＰＤＡ２０のコネクタ部５００とＩＰ電話端末１０のコネクタ部５００との結合を確実かつスムーズに誘導するためのリブ４１が設けられている。
【００４４】
次に、クレードル部４０のコネクタ部５００についてさらに説明する。
【００４５】
図３は、この発明に係わるＩＰ電話端末１０のクレードル部４０に配設されるコネクタ部５００のピンアサインの一例を示す拡大図である。
【００４６】
図３は、コネクタ部５００にアサインされたピンの数が１１個の場合の例を示した図であり、順にピン１、ピン２、．．．、ピン１１と名称を付して説明する。
【００４７】
ピン１、ピン１１は、主要機器に対して充電処理を行う際に電力を供給するピンであり、充電用電源（＋）側、充電用電源（−）側がそれぞれアサインされる。
【００４８】
ピン２は、送信データの信号線がアサインされる。
【００４９】
ピン３、ピン４は、ＩＰ電話端末１０がＰＤＡ２０に対してデータを送信する２本の制御信号線がアサインされる。
【００５０】
ピン５、ピン６は、ＩＰ電話端末１０がＰＤＡ２０に対してデータ受信する２本の制御信号がアサインされる。
【００５１】
ピン７は、受信データの信号線がアサインされる。
【００５２】
ピン８は、信号線のグランド用としてアサインされる。
【００５３】
ピン９、ピン１０は、コネクタ部５００を介して接続される機器との間において、相互の接続を検出するためのコネクタ接続信号を入出力する線がアサインされる。
【００５４】
なお、図３に示したピンの数および各ピンにアサインした信号線の内容は、この構成に限定されず、コネクタ部５００に接続された機器とのデータ通信方式に応じて適宜変更可能であり、また、接続機器に対する充電処理が行われるものであれば、このピンアサインに限定されるものではない。
【００５５】
次に、ＩＰ電話端末１０の制御構成について説明する。
【００５６】
図４は、この発明に係わるＩＰ電話端末１０の制御構成を示すブロック図である。
【００５７】
図４において、ＩＰ電話端末１０は、ＩＰ電話端末ＣＰＵ１１、フラッシュメモリ１２、Ｄ−ＲＡＭ１３、外部機器インタフェース１４、ＤＳＰ１５、ＣＯＤＥＣ１６、Ｉ／Ｏコントローラ１７、ＬＣＤ表示制御部１８、ネットワークインタフェース１９を具備して構成される。
【００５８】
ＩＰ電話端末ＣＰＵ１１は、ＩＰ電話端末１０の各制御ブロック間のデータ伝送を制御し、各種制御プログラムを実行する。
【００５９】
フラッシュメモリ１２は、書換え可能なＲＯＭであり、ＩＰ電話端末１０の各種制御プログラム、制御用パラメータを記憶し、特に、この発明に係わる記憶情報としては、クレードル部４０に収容された携帯端末から転送されるスケジュールデータおよび電話帳のデータ、スケジュールデータの連絡先に発呼するためのＩＰ電話用の通話制御プログラム、ＩＰ電話端末１０自身の固有識別情報が記憶される。
【００６０】
Ｄ−ＲＡＭ１３は、ＩＰ電話端末１０を制御するためのロードされたプログラムおよび一時的な処理データを記憶する。
【００６１】
外部機器インタフェース１４は、調歩同期式シリアル転送を行うＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を含み、クレードル部４０のコネクタ部５００を介して接続する外部機器とのデータ伝送制御および、給電および充電の為の電力供給処理を行う。
【００６２】
ＤＳＰ１５は、転送レートの高いデータ（音声データ）をリアルタイムで処理する。
【００６３】
ＣＯＤＥＣ１６は、マイク３４もしくは受話器３５から入力された音声信号をアナログ信号からデジタルデータに変換したり、また、その逆に、ＤＳＰ１５から出力されたデジタル音声信号をアナログ変換してスピーカ３３もしくは受話器３５に出力する。
【００６４】
Ｉ／Ｏコントローラ１７は、キー／キーパット３６におけるオペレータの入力操作を検出して、検出信号をＩＰ電話端末ＣＰＵ１１に送信する。
【００６５】
ＬＣＤ表示制御部１８は、ＬＣＤ表示部３７に接続し、ＩＰ電話端末１０の制御プログラム、アプリケーションプログラムの表示データをＬＣＤ表示部３７に出力する。
【００６６】
ネットワークインタフェース１９は、ＬＡＮ７０に接続された各機器との通信制御を行う。
【００６７】
次に、ＩＰ電話端末１０のクレードル部４０に収容されるＰＤＡ２０の制御構成を示して説明する。
【００６８】
図５は、この発明に係わるＩＰ電話端末１０のクレードル部４０に収容して接続されるＰＤＡ２０の制御構成を示すブロック図である。
【００６９】
図５において、ＰＤＡ２０は、ＰＤＡＣＰＵ２７、ＰＤＡＤ−ＲＡＭ２８、ＰＤＡフラッシュメモリ２９、メモリカードインタフェース２１、ＰＤＡ表示制御部２２、ＰＤＡＩ／Ｏコントローラ２３、ＰＤＡ外部機器インタフェース２４、充電回路２５、充電用電池２６にて構成される。
【００７０】
ＰＤＡＣＰＵ２７は、ＰＤＡ２０における各制御ブロック間のデータ伝送を制御し、各種制御プログラムを実行する。
【００７１】
ＰＤＡフラッシュメモリ２９は、書換え可能なＲＯＭであり、スケジュール管理プログラムを含むＰＤＡ２０の各種制御プログラム、制御用パラメータ、スケジュールデータ、ＰＤＡ２０を使用するユーザ情報、外部機器とのデータ通信時における固体識別プログラムおよび固体識別用の照合データを記憶する。
【００７２】
ＰＤＡＤ−ＲＡＭ２８は、ＰＤＡ２０の制御処理におけるロードプログラムおよび制御データ等の一時的なデータを記憶するメモリである。
【００７３】
ＰＤＡ外部機器インタフェース２４は、調歩同期式シリアル転送を行うＵＡＲＴを含み、ＰＤＡ接続コネクタ３８を介して接続する外部機器とのデータ伝送制御を行う。
【００７４】
また、ＰＤＡ接続コネクタ３８は、クレードル部４０のコネクタ部５００にアサインされたピンのうち充電処理を行うための充電用電源（＋）、充電用電源（−）ピンからの電流を接続された充電回路２５に供給する。
【００７５】
充電回路２５は、ＰＤＡ接続コネクタ３８を介してＩＰ電話端末１０から供給された充電用電源に基づいて充電用電池２６の充電を行う。
【００７６】
ＰＤＡ表示制御部２２は、タッチパネル式ＬＣＤ表示部３１に接続し、表示用データを作成してタッチパネル式ＬＣＤ表示部３１に出力する。
【００７７】
ＰＤＡＩ／Ｏコントローラ２３は、タッチパネル式ＬＣＤ表示部３１および、ＰＤＡキー／キーパッド３２に接続し、タッチパネル式ＬＣＤ表示部３１からのタッチ入力操作、ＰＤＡキー／キーパッド３２の入力操作を検出し、検出信号をＰＤＡＣＰＵ２７に出力する。
【００７８】
メモリカードインタフェース２１は、メモリカード３０等の外部記憶媒体を装着し、ＰＤＡ２０本体との間においてデータの入出力を行う。
【００７９】
次に、ＰＤＡ２０のＰＤＡフラッシュメモリ２９に記憶されるスケジュール情報６０について説明する。
【００８０】
図６は、この発明に係わるＩＰ電話端末１０に接続されるＰＤＡ２０のＰＤＡフラッシュメモリ２９に記憶されるスケジュール情報６０の例を示すテーブルレイアウト図である。
【００８１】
図６において、スケジュール情報６０の管理項目は、スケジュール内容６１、有効フラグ６２、開始予定時刻６４、終了予定時刻６５を管理する。
【００８２】
スケジュール内容６１は登録されたスケジュールの内容を示す項目であり、ユーザがＰＤＡ２０のスケジュール管理プログラムを用いて登録されたデータである。
【００８３】
有効フラグ６２は、登録されたスケジュールデータ毎の状態を管理する項目であり、例えば、ユーザの操作に基づいて、登録データを削除せずにスケジュールのを無効にする場合や、データ転送済みの情報など、スケジュール管理プログラムの仕様に基づいて適宜設定、更新されるフラグである。
【００８４】
連絡先６３は、スケジュールの内容が、所定の相手先への電話、メール送信等のアクションを伴う場合に、電話番号、メールアドレスを記憶して管理する項目である。
【００８５】
また、連絡先６３に設定するデータの形式は、データを直接設定する以外に、ＰＤＡフラッシュメモリ２９に記憶される電話帳との連携も可能にするために電話帳ＩＤを設定することも可能である。
【００８６】
開始予定時刻６４、終了予定時刻６５は、登録されたスケジュールの予定時間帯を設定して管理する項目である。
【００８７】
次に、図１に示したＩＰ電話端末１０およびＰＤＡ２０がＩＰ電話システムの構成機器として組み込まれた時の構成例を示し、ＩＰ電話端末１０におけるＰＤＡ２０から転送されたスケジュールの告知処理について説明する。
【００８８】
図７は、この発明に係わるＩＰ電話端末１０を含んで構成されるＩＰ電話システムのネットワーク構築例を示すシステム構成図である。
【００８９】
図７において、ＩＰ電話システムは、ＩＰ電話交換機７１、タイムサーバ７２、認証サーバ７３、複数のＩＰ電話端末１０がＬＡＮ７０に接続されており、また、ＬＡＮ７０はルータ７４によりＷＡＮ７５に接続されて構成される。
【００９０】
認証サーバ７３は、ＬＡＮ７０に接続された各ＩＰ電話端末の利用者認証を行う為の認証データを認証ＤＢに記憶して管理している。
【００９１】
また、認証サーバ７３は、ＬＡＮ７０もしくはＷＡＮ７５に接続されたＩＰ電話端末からの問合せにより認証ＤＢを参照して利用者認証を行い、認証結果を送信元のＩＰ電話端末に送信する。
【００９２】
タイムサーバ７２は、ＬＡＮ７０に接続された各ＩＰ電話端末に対して、時刻情報若しくは、所定の間隔において時刻修正情報を自動で送信する。
【００９３】
ＩＰ電話交換機７１は、ＬＡＮ７０を介して接続されたＩＰ電話端末からの呼接続要求に基づいて、通話相手となるＬＡＮ７０もしくはＷＡＮ７５に接続されたＩＰ電話端末との間において、通話制御を行う。
【００９４】
次に、ＩＰ電話端末１０とクレードル部４０に収容されたＰＤＡ２０とにおけるスケジュール告知処理について説明する。
【００９５】
図８において、ＰＤＡ２０がＩＰ電話端末１０のクレードル部４０に収容される（ステップＳ１０１）と、ＩＰ電話端末１０は、クレードル部４０のコネクタ部５００における接続検出信号がアサインされたピンを介してコネクタ接続信号を検出することにより、ＰＤＡ２０が収容されたことを検出する（ステップＳ１０２）。
【００９６】
ＩＰ電話端末１０は、クレードル部４０に収容されたＰＤＡ２０に対し、送信制御信号がアサインされたピンを介しＰＤＡ２０に対する接続確認信号を出力する。
【００９７】
接続確認信号を受信したＰＤＡ２０は、ＩＰ電話端末１０との間において接続制御を行う接続制御プログラムを起動し（ステップＳ１０３）、接続確認に対する接続応答をクレードル部４０の受信制御信号がアサインされたピンを介してＩＰ電話端末１０に接続応答を出力する。
【００９８】
また、ＰＤＡ２０側においても、クレードル部４０を介してＩＰ電話端末１０からの検出信号を検出すると、ＰＤＡ２０側からみて送信制御信号がアサインされたピンを介しＩＰ電話端末１０に対して接続確認信号を出力する。
【００９９】
接続確認信号を受信したＩＰ電話端末１０は、接続確認に対する接続応答をクレードル部４０の受信制御信号がアサインされたピンを介してＩＰ電話端末１０に接続応答を出力し、ＰＤＡ２０は、ＩＰ電話端末１０とのデータ伝送制御の準備を開始する（ステップＳ１０４）。
【０１００】
ＰＤＡ２０は、接続応答を送信すると、ＩＰ電話端末１０の固体認証を行うプログラムを起動し（ステップＳ１０５）、ＩＰ電話端末１０に対して機器ＩＤの送信を要求する制御信号を送信する。
【０１０１】
機器ＩＤの要求信号を受信したＩＰ電話端末１０は、フラッシュメモリ１２から機器ＩＤを取得して（ステップＳ１０６）、機器ＩＤを含む機器ＩＤ応答をＰＤＡ２０に送信する。
【０１０２】
ＰＤＡ２０は、受信した機器ＩＤ応答からＩＰ電話端末１０の機器ＩＤを抽出し、抽出した機器ＩＤの照合確認をＰＤＡフラッシュメモリ２９に記憶した固体認証用データおよび固体認証プログラムにて実施する（ステップＳ１０７）。
【０１０３】
また、ＰＤＡ２０は、ＩＰ電話端末１０の固体認証を完了すると、照合確認応答をＩＰ電話端末１０に送信する。
【０１０４】
ＩＰ電話端末１０は、ＰＤＡ２０からの照合確認応答を受信すると、利用者認証プログラムを起動し（ステップＳ１０８）、ＰＤＡ２０対して、ユーザＩＤおよびパスワードを含む利用者情報の送信を要求する送信データを作成してＰＤＡ２０に出力する。
【０１０５】
ユーザＩＤ要求を受信したＰＤＡ２０は、ＰＤＡフラッシュメモリ２９に記憶されたユーザＩＤ、パスワードを含む利用者情報を取得し（ステップＳ１０９）、送信データにアサインされたピンを介してＩＰ電話端末１０に対して、利用者情報を送信する。
【０１０６】
利用者情報を受信したＩＰ電話端末１０は、受信データからユーザＩＤ、パスワードを取得し、認証サーバ７３に対してユーザＩＤの照合を行う（ステップＳ１１０）。
【０１０７】
認証サーバ７３にてユーザＩＤが認証されると、ＩＰ電話端末１０は、認証許可応答をＰＤＡ２０に送信する。
【０１０８】
認証許可の応答を受信したＰＤＡ２０は、ＰＤＡフラッシュメモリ２９内のスケジュール情報６０を参照し、各スケジュールデータの有効フラグ６２をチェックする。
【０１０９】
有効データがある場合には、スケジュールデータ転送処理により、スケジュールデータをＩＰ電話端末１０に送信する（ステップＳ１１１）。
【０１１０】
また、スケジュールデータの連絡先に電話帳ＩＤが設定されている場合は、電話帳データも併せて送信する。
【０１１１】
スケジュールデータを受信したＩＰ電話端末１０は（ステップＳ１１２）、受信したスケジュールデータの開始予定時刻６４の到達と同時に、連絡先６３に設定された電話番号にもとづいてスケジュール告知のための発呼処理を行う（ステップＳ１１３）。
【０１１２】
次に、図８のシーケンス図で示したＩＰ電話端末１０における利用者認証処理について説明する。
【０１１３】
図９は、この発明に係わるＩＰ電話端末１０における利用者認証処理の処理手順を示すフローチャートである。
【０１１４】
図９において、ＩＰ電話端末１０の利用者認証プログラムは、クレードル部４０に収容されたＰＤＡ２０に対してユーザＩＤ、パスワードを含む利用者情報の送信を要求する制御データを送信する（ステップＳ２０１）。
【０１１５】
利用者認証プログラムは、ＰＤＡ２０から送信された利用者情報からユーザＩＤ、パスワードを抽出して解析する（ステップＳ２０２）。
【０１１６】
受信した利用者情報からユーザＩＤ、パスワードが抽出できた場合（ステップＳ２０３でＹＥＳ）、利用者認証プログラムは、認証サーバ７３に対し、抽出したユーザＩＤ、パスワードを含む利用者情報を送信してユーザＩＤの照合を依頼する（ステップＳ２０６）。
【０１１７】
また、受信した利用者情報からユーザＩＤ、パスワードが抽出できなかった場合（ステップＳ２０３でＮＯ）、利用者認証プログラムは、ユーザＩＤ、パスワードの入力を利用者に促す表示メッセージを作成し、クレードル部４０のコネクタ部５００を介してＰＤＡ２０に送信する（ステップＳ２０４）。
【０１１８】
ＰＤＡ２０のタッチパネル式ＬＣＤ表示部３１、あるいはＰＤＡキー／キーパッド３２から入力されたユーザＩＤ、パスワードを含む入力情報を受信すると、（ステップＳ２０５でＹＥＳ）、利用者認証プログラムは、ネットワークインタフェース１９を介してＬＡＮ７０に接続された認証サーバ７３に対し、入力されたユーザＩＤ、パスワードを含む利用者情報を送信してユーザＩＤの照合を依頼する（ステップＳ２０６）。
【０１１９】
利用者認証プログラムは、認証サーバ７３からの照合結果を受信し、照合結果に応じて、ユーザＩＤの認証結果を含む応答データを作成し、クレードル部４０のコネクタ部５００を介してＰＤＡ２０に送信する（ステップＳ２０７）。
【０１２０】
図１０は、この発明に係わるＩＰ電話端末１０のクレードル部４０に装着されたＰＤＡ２０におけるスケジュール転送処理の処理手順を示すフローチャートである。
【０１２１】
図１０において、スケジュール転送プログラムは、ＰＤＡ２０のＰＤＡフラッシュメモリ２９に記憶されたスケジュールデータの有効フラグ６２を参照し、有効なスケジュールデータの有無を判断する（ステップＳ３０１）。
【０１２２】
有効なスケジュールデータが登録されていない場合は（ステップＳ３０１でＮＯ）、スケジュール転送プログラムは処理を終了する。
【０１２３】
有効なスケジュールデータが登録されている場合（ステップＳ３０１でＹＥＳ）、スケジュール転送プログラムは、有効フラグ６２がＯＮのスケジュールデータを全て取得し、外部機器インタフェースおよびクレードル部４０のコネクタ部５００を介してＩＰ電話端末１０に転送する（ステップＳ３０２）。
【０１２４】
スケジュール転送プログラムは、ＩＰ電話端末１０からスケジュールデータの受信応答を受信すると、ＰＤＡフラッシュメモリ２９のスケジュール情報６０において、転送したスケジュールデータの各有効フラグ６２を転送済みの値に更新する（ステップＳ３０３）。
【０１２５】
図１１は、この発明に係わるＩＰ電話端末１０におけるスケジュール告知処理の処理手順を示すフローチャートである。
【０１２６】
図１１において、スケジュール告知処理プログラムは、フラッシュメモリ１２に記憶されたスケジュールデータの有効フラグ６２を参照し、有効なスケジュールデータの有無を判断する（ステップＳ４０１）。
【０１２７】
有効なスケジュールデータが登録されていない場合は（ステップＳ４０１でＮＯ）、スケジュール告知処理プログラムは処理を終了する。
【０１２８】
有効なスケジュールデータが登録されている場合（ステップＳ４０１でＹＥＳ）、スケジュール告知処理プログラムは、ＩＰ電話端末１０の内部時計もしくは、タイムサーバ７２から通知された時刻情報に基づいて現在時刻を取得する（ステップＳ４０２）。
【０１２９】
スケジュール告知処理プログラムは、取得した現在時刻と、ステップＳ４０２で取得した有効なスケジュールデータの開始予定時刻６４を比較する（ステップＳ４０３）。
【０１３０】
現在時刻と開始予定時刻６４が一致しない場合（ステップＳ４０４でＮＯ）、スケジュール告知処理プログラムは、ステップＳ４０２に戻り、開始予定時刻６４の到達までの時間監視を繰り返して行う。
【０１３１】
現在時刻と開始予定時刻６４が一致した場合（ステップＳ４０４でＹＥＳ）、スケジュール告知処理プログラムは、現在時刻と開始予定時刻６４が一致したスケジュールデータの連絡先６３を取得する（ステップＳ４０５）。
【０１３２】
取得したデータの内容が電話帳ＩＤの場合（ステップＳ４０６でＹＥＳ）、電話帳ＩＤに対応する電話番号を電話帳から取得する（ステップＳ４０７）。
【０１３３】
一方、電話帳ＩＤでない場合（ステップＳ４０６でＮＯ）、連絡先６３のデータを直接電話番号として取得する（ステップＳ４０８）。
【０１３４】
連絡先６３のデータ抽出が完了すると、ＩＰ電話機の通話制御プログラムに対して取得した電話番号に対する発呼処理を要求する（ステップＳ４０９）。
【０１３５】
なお、スケジュールデータの連絡先６３に設定されるデータは、空の場合もありえる（連絡先無し）のでその場合は、発信処理を行わずステップＳ４０１に戻り、次の有効スケジュールデータの処理に移行する。
【０１３６】
また、メールアドレスの設定が可能な構成をＰＤＡ２０のスケジュール管理プログラムに追加し、ＩＰ電話端末１０にメール機能を追加することにより、連絡先６３がメールアドレスの場合は、メール送信プログラムを起動してスケジュール内容をメールで通知する構成にすることも可能である。
【０１３７】
また、ステップＳ４０３における、現在時刻と、スケジュールデータの開始予定時刻の比較処理において、各スケジュールデータに可変もしくはＩＰ電話端末１０のフラッシュメモリ１２内に固定で設定される告知タイミングを調整する調整時間を予め設定する構成を追加し、現在時刻が、調整時間で補正された開始予定時刻と比較して判断する処理にすることも可能である。
【０１３８】
また、現在時刻の取得方法は、タイムサーバから取得する方法以外に、内部時計機能が追加されたＩＰ電話端末１０、タイムサーバ以外の時計機能を有するネットワーク上の装置（例えば、図７においては、ＩＰ電話交換機７１に時計機能および時刻情報の送信手段を追加した構成）との通信により時刻情報を受信する構成にすることも可能である。
【０１３９】
また、図７に示した、認証サーバ７３の認証機能および認証ＤＢは、ＩＰ電話端末１０に含んで構成され、ＩＰ電話端末１０自身がクレードル４０の収容機器および利用者の認証を行う構成にしてもよい。
【０１４０】
【発明の効果】
以上説明したようにこの発明によれば、ＩＰ電話端末では携帯情報機器または携帯電話機を操作することなくＩＰ電話端末のクレードルに収容するのみでスケジュールデータをＩＰ電話端末に転送し、転送したスケジュールデータの連絡先にＩＰ電話端末が発信を行うことによりスケジュール開始の告知を行ことができる。
【０１４１】
これによって、モバイル環境において利便性の高い情報機器の使用環境とスケジュール告知の確実性を向上させることができる。
【図面の簡単な説明】
【図１】この発明に係わるＩＰ電話端末とＩＰ電話端末のクレードル部に収容されたＰＤＡの外観図である。
【図２】この発明に係わるＩＰ電話端末のクレードル部の構造を一部透過的に示した斜視図である。
【図３】この発明に係わるＩＰ電話端末のクレードル部に配設されるコネクタのピンアサインの一例を示す拡大図である。
【図４】この発明に係わるＩＰ電話端末の制御構成を示すブロック図である。
【図５】この発明に係わるＩＰ電話端末に接続されるＰＤＡの制御構成を示すブロック図である。
【図６】この発明に係わるＩＰ電話端末に接続されるＰＤＡのＦｌａｓｈ  Ｒｏｍに記憶されるスケジュールデータの例を示すテーブルレイアウト図である。
【図７】この発明に係わるＩＰ電話端末を含んで構成されるＩＰ電話システムのネットワーク構築例を示すシステム構成図である。
【図８】この発明に係わるＩＰ電話端末とＩＰ電話端末のクレードルに収容されたＰＤＡにおいて、クレードル部への機器の収容検出からＩＰ電話端末におけるスケジュール告知までの処理手順の一例を示したシーケンス図である。
【図９】この発明に係わるＩＰ電話端末における利用者認証処理の処理手順を示すフローチャートである。
【図１０】この発明に係わるＩＰ電話端末のクレードル部に収容された収容機器におけるスケジュールデータ転送処理の処理手順を示すフローチャートである。
【図１１】この発明に係わるＩＰ電話端末がクレードル部に装着された収容機器から転送されたスケジュールデータにもとづいてスケジュール告知の処理手順を示すフローチャートである。
【符号の説明】
１０    ＩＰ電話端末
１１    ＩＰ電話端末ＣＰＵ
１２    フラッシュメモリ
１３    Ｄ−ＲＡＭ
１４    外部機器インタフェース
１５    ＤＳＰ
１６    ＣＯＤＥＣ
１７    Ｉ／Ｏコントローラ
１８    ＬＣＤ表示制御部
１９    ネットワークインタフェース
２０    ＰＤＡ
２１    メモリカードインタフェース
２２    ＰＤＡ表示制御部
２３    ＰＤＡＩ／Ｏコントローラ
２４    ＰＤＡ外部機器インタフェース
２５    充電回路
２６    充電用電池
２７    ＰＤＡＣＰＵ
２８    ＰＤＡＤ−ＲＡＭ
２９    ＰＤＡフラッシュメモリ
３０    メモリカード
３１    タッチパネル式ＬＣＤ表示部
３２    ＰＤＡキー／キーパッド
３３    スピーカ
３４    マイク
３５    受話器
３６    キー／キーパッド
３７    ＬＣＤ表示部
３８    ＰＤＡ接続コネクタ
４０    クレードル部
４１    リブ
４２    傾斜角
５００    コネクタ部
６０    スケジュール情報
６１    スケジュール内容
６２    有効フラグ
６３    連絡先
６４    開始予定時刻
６５    終了予定時刻
７０    ＬＡＮ
７１    ＩＰ電話交換機
７２    タイムサーバ
７３    認証サーバ
７４    ルータ
７５    ＷＡＮ
【図１】
2004336142.tif 000003
【図２】
2004336142.tif 000004
【図３】
2004336142.tif 000005
【図４】
2004336142.tif 000006
【図５】
2004336142.tif 000007
【図６】
2004336142.tif 000008
【図７】
2004336142.tif 000009
【図８】
2004336142.tif 000010
【図９】
2004336142.tif 000011
【図１０】
2004336142.tif 000012
【図１１】
2004336142.tif 000013